【手続補正書】
【提出日】平成28年8月22日(2016.8.22)
【手続補正１】
【補正対象書類名】特許請求の範囲
【補正対象項目名】請求項１
【補正方法】変更
【補正の内容】
【請求項１】
縦方向及びそれに直交する横方向を有し、肌対向面及びその反対側の非肌対向面と、前後ウエスト域の一方である第１ウエスト域と、前記前後ウエスト域の他方である第２ウエスト域と、前記第１及び第２ウエスト域間に位置するクロッチ域とを含み、前記第１及び第２ウエスト域において前記縦方向へ延びる側縁部が互いに重なり合って接合され、前記第１ウエスト域にテープファスナが取り付けられた使い捨てのパンツ型着用物品において、  前記第１及び第２ウエスト域のうちの少なくとも前記第１ウエスト域は前記横方向において弾性を有しており、  前記テープファスナは、繊維不織布シートから形成され、非展開状態における長さ方向とそれに直交する幅方向とを有し、前記幅方向において対向する両側縁と、前記第１ウエスト域に固定された近位部と、展開した状態において前記テープファスナを前記第２ウエスト域の前記非肌当接面に剥離可能に掛止めするための掛止め域を有する遠位部とを含み、前記近位部と前記掛止め域との間には、前記テープファスナの両側縁どうしが近づく方向における剛性が前記近位部よりも高い高剛性領域が形成されることを特徴とする着用物品。
【手続補正２】
【補正対象書類名】特許請求の範囲
【補正対象項目名】請求項７
【補正方法】変更
【補正の内容】
【請求項７】
前記掛止め域はメカニカルファスナのフック要素を有するフックシートから形成されており、前記テープファスナの折り畳まれた状態における、前記掛止め域の存在領域の前記テープファスナの両側縁部どうしが近づく方向のＫＥＳ曲げ剛性値は、０．５６〜１．８ｇｆ・ｃｍ２／ｃｍである請求項１〜６のいずれかに記載の着用物品。
【手続補正３】
【補正対象書類名】明細書
【補正対象項目名】０００１
【補正方法】変更
【補正の内容】
【０００１】  本開示は、使い捨てのパンツ型着用物品に関し、より詳しくは、テープファスナを有する使い捨てのパンツ型おむつに関する。
【手続補正４】
【補正対象書類名】明細書
【補正対象項目名】０００６
【補正方法】変更
【補正の内容】
【０００６】 本発明の課題は、従来の技術の改良であって、比較的に柔軟なシート材料から形成され、近位部が変形し易く、かつ、遠位部が安定的に掛止めされるテープファスナを有する使い捨てのパンツ型着用物品の提供に関する。
【手続補正５】
【補正対象書類名】明細書
【補正対象項目名】０００８
【補正方法】変更
【補正の内容】
【０００８】  本発明の使い捨てのパンツ型着用物品は、前記第１及び第２ウエスト域のうちの少なくとも前記第１ウエスト域は前記横方向において弾性を有しており、  前記テープファスナは、繊維不織布シートから形成され、非展開状態における長さ方向とそれに直交する幅方向とを有し、前記幅方向において対向する両側縁と、前記第１ウエスト域に固定された近位部と、展開した状態において前記テープファスナを前記第２ウエスト域の前記非肌当接面に剥離可能に掛止めするための掛止め域を有する遠位部とを含み、前記近位部と前記掛止め域との間には、前記テープファスナの両側縁部どうしが近づく方向における剛性が前記近位部よりも高い高剛性領域が形成される。
【手続補正６】
【補正対象書類名】明細書
【補正対象項目名】００１０
【補正方法】変更
【補正の内容】
【００１０】  図面は、本発明の特定の実施の形態を示し、発明な不可欠な構成ばかりでなく、選択的及び好ましい実施の形態を含む。【図１】本発明の第１実施形態における使い捨てのパンツ型着用物品の一例として示す、背面側から視た使い捨ておむつの斜視図。
【図２】おむつのサイドシーム部を剥離して前後方向に伸展した状態をその内面から見た一部破断展開平面図。
【図３】おむつの分解斜視図。
【図４】図２のＩＶ−ＩＶに沿う模式的断面図。
【図５】図１のＶ−Ｖ線に沿う模式的断面図。
【図６】テープファスナの使用状態を示す、正面側から視たおむつの斜視図。
【図７】図６のＶＩＩ−ＶＩＩに沿う断面図。
【図８】テープファスナを使用しておむつを丸めた状態を示す図。
【図９】テープファスナの変更例の一例を示す図１と同様の斜視図。
【図１０】テープファスナの変更例の一例を示す図８と同様の図。
【図１１】第２実施形態におけるおむつの図５と同様の図。
【図１２】第３実施形態におけるおむつの図５と同様の図。
【図１３】第４実施形態におけるおむつの図５と同様の図。
【図１４】第５実施形態におけるおむつの図５と同様の図。
【図１５】第６実施形態におけるおむつの図５と同様の図。
【図１６】第７実施形態におけるおむつの図１と同様の図。
【手続補正７】
【補正対象書類名】明細書
【補正対象項目名】００３８
【補正方法】変更
【補正の内容】
【００３８】  図９及び図１０は、テープファスナ２０の変更例を示すものであって、本変更例においては、テープファスナ２０が後ウエスト域１４の横方向Ｘの中央部に１つ配置されている。このように、複数ではなく単数のテープファスナ２０が後ウエスト域１４に配置されている場合であっても、おむつ１０の廃棄時に、おむつ１０を丸めた状態でテープファスナ２０の摘持部６３を摘んで展開させながらウエスト開口側へ引っ張って前ウエスト域１３に掛け止めることによって、丸めた状態を維持し、かつ、排泄物の漏れを防止することができる。
【手続補正８】
【補正対象書類名】明細書
【補正対象項目名】００４１
【補正方法】変更
【補正の内容】
【００４１】＜第４実施形態＞  図１３を参照すると、本実施形態に係るテープファスナ２０において、ベースシート５８が二つに折り曲げられており、第２端２０ｂが接合域６０の外端よりも横方向Ｘの外側に位置している。本実施形態のように、ベースシート５８が複数折曲された態様でなくてもよい。
【手続補正９】
【補正対象書類名】明細書
【補正対象項目名】００４６
【補正方法】変更
【補正の内容】
【００４６】  以上に記載した本発明に関する開示は、少なくとも下記事項に整理することができる。  縦方向及びそれに直交する横方向を有し、肌対向面及びその反対側の非肌対向面と、前後ウエスト域の一方である第１ウエスト域と、前記前後ウエスト域の他方である第２ウエスト域と、前記第１及び第２ウエスト域間に位置するクロッチ域とを含み、前記第１及び第２ウエスト域において前記縦方向へ延びる側縁部が互いに重なり合って接合され、前記第１ウエスト域にテープファスナが取り付けられた使い捨てのパンツ型着用物品において、  前記第１及び第２ウエスト域のうちの少なくとも前記第１ウエスト域は前記横方向において弾性を有しており、  前記テープファスナは、繊維不織布シートから形成され、非展開状態における長さ方向とそれに直交する幅方向とを有し、前記幅方向において対向する両側縁と、前記第１ウエスト域に固定された近位部と、展開した状態において前記テープファスナを前記第２ウエスト域の前記非肌当接面に剥離可能に掛止めするための掛止め域を有する遠位部とを含み、前記近位部と前記掛止め域との間には、前記テープファスナの両側縁部どうしが近づく方向における剛性が前記近位部よりも高い高剛性領域が形成される。
【手続補正１０】
【補正対象書類名】明細書
【補正対象項目名】００４７
【補正方法】変更
【補正の内容】
【００４７】  上記段落００４６に開示した本発明は、少なくとも下記の実施の形態を含むことができる。該実施の形態は、分離して又は互いに組み合わせて採択することができる。（１）前記テープファスナは、前記近位部及び前記遠位部を画定するベースシートを有し、前記高剛性領域は前記ベースシートに補助シート片を積層して形成される。（２）前記ベースシートは、その長さ方向へ連続するシート部材から形成される。（３）前記補助シート片の剛性が前記ベースシートの剛性よりも低い。（４）前記テープファスナは、前記近位部及び前記遠位部を画定するベースシートを有し、前記ベースシートは、前記近位部を形成する第１テープと、前記遠位部を形成する第２テープとから構成されており、前記第２テープの剛性が前記第１テープの剛性よりも高いことによって、前記高剛性領域が形成される。（５）前記テープファスナの折り畳まれた状態における、前記掛止め域の存在領域を除く部分の前記テープファスナの両側縁部どうしが近づく方向のＫＥＳ曲げ剛性値は０．０４〜０．４４ｇｆ・ｃｍ２／ｃｍである。（６）前記掛止め域はメカニカルファスナのフック要素を有するフックシートから形成されており、前記テープファスナの折り畳まれた状態における、前記掛止め域の存在領域の前記テープファスナの両側縁部どうしが近づく方向のＫＥＳ曲げ剛性値は、０．５６〜１．８ｇｆ・ｃｍ２／ｃｍである。（７）前記テープファスナは、前記遠位部が折曲された状態で仮止め部を介して前記近位部に仮止めされており、前記仮止め部は前記横方向において離間する第１及び第２仮止め部を有し、前記掛止め域は前記第１及び第２仮止め部間における前記遠位部の内面に位置する。（８）前記掛止め域は、メカニカルファスナのフック要素である。（９）前記テープファスナは、前記遠位部と前記高剛性領域との間に位置する弾性部をさらに有する。